(57)【要約】【課題】基地局と無線端末との無線通信において高い安定性を得ることが可能な無線通信システムを提供することを目的とする。【解決手段】本発明にかかる無線通信システムの代表的な構成は、制御信号を送信する基地局１０４ａ〜１０４ｇと、基地局との無線通信によって制御信号を受信する無線端末１０２とを含む無線通信システムであって、基地局は、制御信号に同期状態を含めて送信し、無線端末は、基地局に接続する際に、周辺に存在する基地局からの制御信号を受信する基地局サーチを行い、制御信号を参照して周辺に存在する基地局の同期状態を判断し、エア同期でない同期状態の基地局を優先的に接続先候補とし、接続先候補の中で、制御信号の受信信号強度が最も高い基地局に接続することを特徴とする。【選択図】図４
2015053650.tif 000002
【特許請求の範囲】
【請求項１】
制御信号を送信する基地局と、該基地局との無線通信によって該制御信号を受信する無線端末とを含む無線通信システムであって、
前記基地局は、前記制御信号に同期状態を含めて送信し、
前記無線端末は、
前記基地局に接続する際に、周辺に存在する基地局からの前記制御信号を受信する基地局サーチを行い、
前記制御信号を参照して前記周辺に存在する基地局の同期状態を判断し、
エア同期でない同期状態の基地局を優先的に接続先候補とし、該接続先候補の中で、前記制御信号の受信信号強度が最も高い基地局に接続することを特徴とする無線通信システム。
【請求項２】
制御信号を送信する基地局と、該基地局との無線通信によって該制御信号を受信する無線端末とを含む無線通信システムであって、
前記基地局は、前記制御信号に同期状態を含めて送信し、
前記無線端末は、
前記基地局に接続する際に、周辺に存在する基地局からの前記制御信号を受信する基地局サーチを行い、
前記制御信号を参照して前記周辺に存在する基地局の同期状態を判断し、
前記基地局の同期状態と、前記制御信号の受信信号強度とを用いて通信品質値を算出し、
前記通信品質値が最も高い基地局に接続することを特徴とする無線通信システム。
【請求項３】
前記無線端末は、前記周辺に存在する基地局の同期状態のうち同期精度の高い同期状態をもつ基地局を優先的に接続先候補とすることを特徴とする請求項１または２に記載の無線通信システム。
【請求項４】
前記基地局は、前記エア同期の次数をさらに含めた制御信号を送信し、
エア同期状態の基地局のみが接続先候補となった場合、前記同期状態による基地局の接続優先度は、前記エア同期の次数が上位の基地局ほど高く設定されることを特徴とする請求項１から３のいずれか１項に記載の無線通信システム。
【請求項５】
制御信号を送信する基地局との無線通信によって該制御信号を受信する無線端末であって、
前記制御信号に同期状態を含めて送信する前記基地局に接続する際に、周辺に存在する基地局からの前記制御信号を受信する基地局サーチを行い、
前記制御信号を参照して前記周辺に存在する基地局の同期状態を判断し、
エア同期でない同期状態の基地局を優先的に接続先候補とし、該接続先候補の中で、前記制御信号の受信信号強度が最も高い基地局に接続することを特徴とする無線端末。
【請求項６】
制御信号を送信する基地局との無線通信によって該制御信号を受信する無線端末であって、
前記制御信号に同期状態を含めて送信する前記基地局に接続する際に、周辺に存在する基地局からの前記制御信号を受信する基地局サーチを行い、
前記制御信号を参照して前記周辺に存在する基地局の同期状態を判断し、
前記基地局の同期状態と、前記制御信号の受信信号強度とを用いて通信品質値を算出し、
前記通信品質値が最も高い基地局に接続することを特徴とする無線端末。
【発明の詳細な説明】
【技術分野】
【０００１】
本発明は、制御信号を送信する基地局と、基地局との無線通信によって制御信号を受信する無線端末とを含む無線通信システムに関する。
【背景技術】
【０００２】
無線通信システムの１つであるＰＨＳ（Personal Handy phone System）では、フレームタイミングを揃えるフレーム同期と、フレームタイミングを維持する回線同期、ＧＰＳ同期、もしくはエア同期が行われる。フレーム同期は、フレームタイミングの基準となる基準基地局を所定領域毎に点在させ、周辺の基地局は基準基地局を中心に順次に制御信号を受信してフレームタイミングを一致させる処理である。基準基地局を０次として、何段目に同期したかという段数を次数という。基準基地局では、ＧＰＳ衛星の協定世界時（ＵＴＣ）を参照することによってフレームタイミングを決定し、フレームタイミング決定後は回線同期によりフレームタイミングを維持している。
【０００３】
フレームタイミングを維持する同期では、所定の基準クロックに対するフレームタイミングのずれを維持するようにその基地局の基本クロックを調整（加減速）することによって行われる。回線同期では、ＩＳＤＮ回線のクロックや光回線のＤＳＵ（Digital Service Unit）、ＯＮＵ（Optical Network Unit）から供給されるクロックを基準クロックとして同期を行う。ＧＰＳ同期では、ＧＰＳ衛星から発信される１ＰＰＳ信号を基準クロックとして同期を行う（例えば特許文献１）。
【０００４】
ＧＰＳ同期を行っている基地局（以下、ＧＰＳ同期基地局と称する）においてＧＰＳ衛星が不可視になった場合、１ＰＰＳ信号を受信できなくなる。このような場合は、ホールドオーバ回路によって擬似１ＰＰＳ信号を生成する。しかしながら、擬似１ＰＰＳ信号は１ＰＰＳ信号よりも精度が低いため、ホールドオーバ状態が所定時間経過したらエア同期を行う。エア同期では、周辺の基地局が送信した制御信号（ＣＣＨ：Control CHannel）を受信して、その基地局のフレームタイミングを基準クロックとして自局基準クロックの補正（加減速）を行なう（例えば特許文献２）。
【先行技術文献】
【特許文献】
【０００５】
【特許文献１】特開２００１−３３９３７３号公報
【特許文献２】特開２０１０−１１８７２６号公報
【発明の概要】
【発明が解決しようとする課題】
【０００６】
ＰＨＳ等の無線通信システムにおいて、無線端末は、基地局に接続する際に、周辺に存在する基地局からの制御信号を受信する基地局サーチを行う。そして、無線端末では、基地局サーチにおいて受信した制御信号のうち、受信信号強度（ＲＳＳＩ：Received Signal Strength Indicator。電界強度信号、受信電波強度とも称される。以下、ＲＳＳＩと称する。）が最も高かった制御信号を送信した基地局を接続先とする。
【０００７】
ここで、上述した基地局の同期の中でも、エア同期中の基地局では、マルチパスや障害物などのフェージングの影響によって制御信号（報知情報とも称される）に含まれる既知信号との相関値の偏差が大きくなり、フレームタイミングに徐々にズレが発生することがある。またエア同期中の基地局では、同期先基地局の制御信号を受信できなくなると運用が停止されるため、その基地局に接続していた無線端末は通信が不可能となり、他の基地局への再接続を強いられてしまう。このように、無線通信システムでは、基地局の同期状態に応じて不具合が生じることがあるため、従来のように単にＲＳＳＩが高い基地局に接続するだけでは、無線端末において安定した通信を確保できないことがあった。
【０００８】
本発明は、このような課題に鑑み、基地局と無線端末との無線通信において高い安定性を得ることが可能な無線通信システムを提供することを目的とする。
【課題を解決するための手段】
【０００９】
上記課題を解決するために、本発明にかかる無線通信システムの代表的な構成は、制御信号を送信する基地局と、基地局との無線通信によって制御信号を受信する無線端末とを含む無線通信システムであって、基地局は、制御信号に同期状態を含めて送信し、無線端末は、基地局に接続する際に、周辺に存在する基地局からの制御信号を受信する基地局サーチを行い、制御信号を参照して周辺に存在する基地局の同期状態を判断し、エア同期でない同期状態の基地局を優先的に接続先候補とし、接続先候補の中で、制御信号の受信信号強度が最も高い基地局に接続することを特徴とする。
【００１０】
上記課題を解決するために、本発明にかかる無線通信システムの他の構成は、制御信号を送信する基地局と、基地局との無線通信によって制御信号を受信する無線端末とを含む無線通信システムであって、基地局は、制御信号に同期状態を含めて送信し、無線端末は、基地局に接続する際に、周辺に存在する基地局からの制御信号を受信する基地局サーチを行い、制御信号を参照して周辺に存在する基地局の同期状態を判断し、基地局の同期状態と、制御信号の受信信号強度とを用いて通信品質値を算出し、通信品質値が最も高い基地局に接続することを特徴とする。
【００１１】
上記無線端末は、周辺に存在する基地局の同期状態のうち同期精度の高い同期状態をもつ基地局を優先的に接続先候補とするとよい。
【００１２】
上記基地局は、エア同期の次数をさらに含めた制御信号を送信し、エア同期状態の基地局のみが接続先候補となった場合、同期状態による基地局の接続優先度は、エア同期の次数が上位の基地局ほど高く設定されるとよい。
【００１３】
上記課題を解決するために、本発明にかかる無線端末の代表的な構成は、制御信号を送信する基地局との無線通信によって制御信号を受信する無線端末であって、制御信号に同期状態を含めて送信する基地局に接続する際に、周辺に存在する基地局からの制御信号を受信する基地局サーチを行い、制御信号を参照して周辺に存在する基地局の同期状態を判断し、エア同期でない同期状態の基地局を優先的に接続先候補とし、接続先候補の中で、制御信号の受信信号強度が最も高い基地局に接続することを特徴とする。
【００１４】
上記課題を解決するために、本発明にかかる無線端末の他の構成は、制御信号を送信する基地局との無線通信によって制御信号を受信する無線端末であって、制御信号に同期状態を含めて送信する基地局に接続する際に、周辺に存在する基地局からの制御信号を受信する基地局サーチを行い、制御信号を参照して周辺に存在する基地局の同期状態を判断し、基地局の同期状態と、制御信号の受信信号強度とを用いて通信品質値を算出し、通信品質値が最も高い基地局に接続することを特徴とする。
【発明の効果】
【００１５】
本発明によれば、基地局と無線端末との無線通信において高い安定性を得ることが可能な無線通信システムを提供することができる。
【図面の簡単な説明】
【００１６】
【図１】本実施形態にかかる無線通信システムを説明する図である。
【図２】図１に示す基地局および無線端末の構成を例示する機能ブロック図である。
【図３】本実施形態の無線通信システムにおける基地局の動作を説明する図である。
【図４】無線通信システムにおける無線端末の第１実施形態の動作を説明するフローチャートである。
【図５】無線通信システムにおける無線端末の第２実施形態の動作を説明するフローチャートである。
【図６】無線通信システムにおける無線端末の第３実施形態の動作を説明するフローチャートである。
【図７】無線通信システムにおける無線端末の第４実施形態の動作を説明するフローチャートである。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
図１は、本実施形態にかかる無線通信システム１００を説明する図である。図１に示すように、本実施形態にかかる無線通信システム１００は、無線端末１０２と、その周辺に存在する複数の基地局を含んで構成される。本実施形態では、図１に示す複数の基地局のうち、基地局１０４ａ・１０４ｂ・１０４ｃは、ＧＰＳ同期によってフレームタイミングを維持している基地局である。基地局１０４ｄは、ホールドオーバ回路によって生成した擬似１ＰＰＳ信号を参照したホールドオーバ（ホールドオーバ同期。以下、ＨＯ同期と称する）によってフレームクロックひいてはフレームタイミングを維持している基地局であり、基地局１０４ｅ・１０４ｆ・１０４ｇは、エア同期によってフレームタイミングを維持している基地局である。
【００１９】
図２は、図１に示す基地局１０４ａおよび無線端末１０２の構成を例示する機能ブロック図であり、図２（ａ）は基地局１０４ａの構成を例示する機能ブロック図であり、図２（ｂ）は無線端末１０２の構成を例示する機能ブロック図である。なお、本実施形態では、基地局１０４ａ〜１０４ｇは、すべて同一の構成を有すると仮定するため、図２（ｂ）では、基地局１０４ａを例示している。
【００２０】
図２（ａ）に示すように、本実施形態の基地局１０４ａは、基地局制御部１１２および基地局無線通信部１１６を備える。基地局制御部１１２は、中央処理装置（ＣＰＵ）を含む半導体集積回路（不図示）により当該基地局１０４ａ全体を管理および制御する。また本実施形態では基地局制御部１１２は、後述するように、自局の同期状態を識別する同期識別部１１４としても機能する。基地局無線通信部１１６は、通信アンテナ１１６ａを介して無線端末１０２との無線通信を行う。
【００２１】
図２（ｂ）に示すように、本実施形態の無線端末１０２は、端末制御部１２２、端末無線通信部１２６および記憶部１２８を備える。端末制御部１２２は、中央処理装置（ＣＰＵ）を含む半導体集積回路（不図示）により当該無線端末１０２全体を管理および制御する。また本実施形態では端末制御部１２２は、後述するように、当該無線端末１０２が接続する基地局を判断する接続判断部１２４としても機能する。端末無線通信部１２６は、通信アンテナ１２６ａを介して基地局１０４ａ〜１０４ｇ（図２（ｂ）では１０４ａを例示）との無線通信を行う。記憶部１２８は、ＲＯＭやＲＡＭ、フラッシュメモリ等で構成され、端末制御部１２２が実行するプログラム、および基地局から受信した制御信号に含まれる情報を記憶する。
【００２２】
図３は、本実施形態の無線通信システム１００における基地局１０４ａ〜１０４ｇの動作を説明する図であり、図３（ａ）は、基地局１０４ａの動作を説明するフローチャートである。図３（ｂ）および（ｃ）は、基地局１０４ａ〜１０４ｇが送信する制御信号の概要を例示する図であり、図３（ｂ）は無線チャネル情報報知メッセージを示していて、図３（ｃ）は第２システム情報報知メッセージを示している。なお、図３の説明では、基地局１０４ａの動作を例示して説明するが、すべての基地局１０４ａ〜１０４ｇが同様の動作をするものとする。
【００２３】
図３（ａ）に示すように、まず基地局１０４ａでは、基地局制御部１１２は、同期識別部１１４として機能し、自局の同期状態が、ＧＰＳ同期状態、ＨＯ同期状態およびエア同期状態のいずれであるかを識別（判断）する（ステップＳ２０２）。一般的には、同期精度は、ＧＰＳ同期が最も高く、ＨＯ同期、エア同期の順で高い。そして、同期識別部１１４は、識別した同期状態に応じた同期ビットを制御信号に格納することにより、同期状態にかかる情報を制御信号に含ませる（ステップＳ２０４）。
【００２４】
図３（ｂ）および（ｃ）に示すように、各報知メッセージ（制御信号）には、「予約」と称される予備領域が存在する。この予備領域に、ステップＳ２０２で識別した自局の同期状態に応じた同期ビットを格納することができる。例えば、同期状態を、エア同期状態、またはエア同期でない同期状態とで区別するときは、エア同期状態のときの符号を「０」とし、エア同期でない同期状態のときの符号を「１」とする。これにより、当該基地局１０４ａがエア同期状態であるか、またはエア同期でない同期状態であるかという同期状態に応じた同期ビット、すなわち同期状態にかかる情報を１ビット分の領域で制御信号に含ませることができる。そして、当該基地局１０４ａの同期状態にかかる情報を制御信号に含ませたら、基地局制御部は、図３（ａ）に示すように、その制御信号を送信する（ステップＳ２０６）。
【００２５】
なお、図３（ｂ）および（ｃ）の説明では、自局の同期状態にかかる情報を示す符号を予備領域（「予約」と記載されている領域）に格納する場合を例示したが、これに限定するものではなく、他の領域に格納することも可能である。例えば、図３（ｃ）の「報知メッセージ状態番号」の領域であれば、同期状態にかかる情報を示す符号（同期ビット）を３ビット分格納することが可能である。
【００２６】
（第１実施形態）
図４は、無線通信システム１００における無線端末１０２の第１実施形態の動作を説明するフローチャートである。図４に示すように、無線端末１０２では、基地局に接続する際に、端末制御部１２２は、周辺に存在する基地局１０４ａ〜１０４ｇとの無線通信によって、かかる基地局１０４ａ〜１０４ｇからの制御信号を受信する基地局サーチを行う（ステップＳ３０２）。
【００２７】
基地局サーチにおいて周辺に存在する基地局１０４ａ〜１０４ｇからの制御信号を受信（検出）したら、端末制御部１２２は、制御信号を検出した基地局のＣＳＩＤ（Cell Station IDentifier：基地局識別番号）と、かかる基地局の制御信号ごとのＲＳＳＩを記憶部１２８に記憶する（ステップＳ３０４）。続いて、端末制御部１２２は、接続判断部１２４として機能し、制御信号の予備領域に含まれる同期ビットを参照することによってその制御信号を送信した周辺に存在する基地局１０４ａ〜１０４ｇの同期状態を判断し、かかる基地局１０４ａ〜１０４ｇの同期状態を記憶部１２８に記憶する（ステップＳ３０６）。
【００２８】
具体的には、接続判断部１２４は、基地局１０４ａ〜１０４ｇごとの同期ビットを参照し、上述したように、制御信号に含まれる同期ビットの符号が「０」であった基地局はエア同期状態であると判断する。一方、同期ビットの符号が「１」であった基地局はエア同期でない同期状態であると判断する。
【００２９】
本実施形態の特徴として、接続判断部１２４は、記憶部１２８に記憶した基地局の同期状態を参照し、基地局サーチにおいて制御信号を受信した基地局の中に、エア同期でない同期状態の基地局があるか否かを判断する（ステップＳ３０８）。エア同期でない同期状態の基地局があった場合（ステップＳ３０８のＹＥＳ）、接続判断部１２４は、エア同期でない同期状態の基地局を接続先候補とし、その接続先候補の基地局のうち、最もＲＳＳＩが高い基地局（最大ＲＳＳＩの基地局）を接続先として選択する（ステップＳ３１０）。そして、端末制御部１２２は、エア同期でない同期状態の基地局のうち最もＲＳＳＩが高い基地局に当該無線端末１０２を接続する（ステップＳ３１２）。
【００３０】
一方、エア同期でない同期状態の基地局がなかった場合（ステップＳ３０８のＮＯ）、接続判断部１２４は、エア同期状態の基地局を接続先候補とし、その接続先候補の基地局のうち、最もＲＳＳＩが高い基地局（最大ＲＳＳＩの基地局）を接続先として選択する（ステップＳ３１４）。そして、端末制御部１２２は、エア同期状態の基地局のうち最もＲＳＳＩが高い基地局に当該無線端末１０２を接続する（ステップＳ３１６）。
【００３１】
例えば、図１では、無線端末１０２は、ＧＰＳ同期状態の基地局１０４ａ、エア同期状態の基地局１０４ｅ・１０４ｆ、ＨＯ同期状態の基地局１０４ｄの制御信号を受信した場合を例示している。このとき、上述したステップＳ３０８における同期状態の判断において、エア同期状態でない同期状態の基地局であるＧＰＳ同期状態の基地局１０４ａ、ＨＯ同期状態の基地局１０４ｄが優先的に接続先候補とされ、その接続先候補の基地局（基地局１０４ａ・１０４ｄ）のうち、ＲＳＳＩが最も高い基地局が当該無線端末の接続先となる。すなわち、第１実施形態の無線端末では、同期状態による基地局の接続優先度は、エア同期状態の基地局よりも、ＧＰＳ同期等のエア同期状態でない同期状態の基地局のほうが高く設定される。
【００３２】
上記説明したように、第１実施形態では、無線端末１０２は、基地局１０４ａ〜１０４ｇが制御信号に含ませた同期状態の情報を参照することによって、基地局１０４ａ〜１０４ｇの同期状態を把握することができる。そして、無線端末１０２では、基地局１０４ａ〜１０４ｇの同期状態を参照し、エア同期でない同期状態の基地局が存在する場合にはそれを優先的に接続先候補とし、接続先候補のＲＳＳＩを参照する。これにより、従来のようにＲＳＳＩのみを参照するのではなく、基地局１０４ａ〜１０４ｇの同期状態を踏まえた接続先の選択が可能となる。したがって、従来のように単純にＲＳＳＩのみを参照してエア同期状態の基地局に接続してしまっていた際に生じていた不具合を解消することができ、基地局１０４ａ〜１０４ｇと無線端末１０２との無線通信において高い安定性を得ることが可能となる。
【００３３】
（第２実施形態）
第１実施形態では、制御信号を受信した基地局の同期状態をエア同期状態またはエア同期状態でない同期状態で判断していたのに対し、第２実施形態ではエア同期状態でない基地局の中でもさらに同期状態を判断する。具体的には、無線端末１０２は、制御信号を受信した基地局１０４ａ〜１０４ｇの同期状態が、エア同期状態、ＧＰＳ同期状態、ＨＯ同期状態のいずれであるかを判断して動作する。
【００３４】
そこで、基地局１０４ａ〜１０４ｇでは、自局の同期状態に応じた同期ビットを、図３（ｂ）および（ｃ）に示す各報知メッセージ（制御信号）に、２ビット分の領域を使用して格納する。例えば、エア同期状態のときの符号を「００」とし、ＧＰＳ同期状態のときの符号を「０１」、ＨＯ同期状態のときの符号を「１０」とすることで、基地局１０４ａ〜１０４ｇの同期状態を区別することができる。
【００３５】
図５は、無線通信システム１００における無線端末１０２の第２実施形態の動作を説明するフローチャートである。なお、第２実施形態以降の実施形態の説明では、第１実施形態と重複する構成要素および動作については、同一の符号を付すことにより、説明を省略する。図５に示すように、第２実施形態では、基地局サーチにおいて制御信号を受信した基地局の中に、エア同期でない同期状態の基地局があった場合（ステップＳ３０８のＹＥＳ）、無線端末１０２の端末制御部１２２は、接続判断部１２４として機能し、記憶部１２８に記憶した基地局の同期状態を参照して、その基地局の中に、ＧＰＳ同期状態の基地局が含まれるか否かを判断する（ステップＳ３２２）。
【００３６】
ＧＰＳ同期状態の基地局が含まれる場合（ステップＳ３２２のＹＥＳ）、接続判断部１２４は、ＧＰＳ同期状態の基地局を接続先候補とし、その接続先候補の基地局のうち、最もＲＳＳＩが高い基地局（最大ＲＳＳＩの基地局）を接続先として選択する（ステップＳ３２４）。そして、端末制御部１２２は、ＧＰＳ同期状態の基地局のうち最もＲＳＳＩが高い基地局に当該無線端末１０２を接続する（ステップＳ３２６）。
【００３７】
一方、ＧＰＳ同期状態の基地局が含まれない場合（ステップＳ３２２のＮＯ）、すなわち、基地局サーチにおいて制御信号を受信した基地局は、エア同期状態でもＧＰＳ同期状態でもないことから、ＨＯ同期状態であると判断することができる。したがって、接続判断部１２４は、ＨＯ同期状態の基地局を接続先候補とし、その接続先候補の基地局のうち、最もＲＳＳＩが高い基地局（最大ＲＳＳＩの基地局）を接続先として選択し（ステップＳ３２８）、端末制御部１２２は、かかる基地局に当該無線端末１０２を接続する（ステップＳ３３０）。
【００３８】
上記説明したように、第２実施形態では、エア同期でない同期状態の基地局の同期状態を更に判断している。これにより、基地局の同期状態をより反映した接続先の選択を行うことが可能である。なお、第２実施形態の無線端末１０２では、同期状態による基地局１０４ａ〜１０４ｇの接続優先度は、エア同期、ＨＯ同期、ＧＰＳ同期の順に高く設定したが、これに限定するものではなく、接続優先度は任意に設定することが可能である。
【００３９】
（第３実施形態）
第３実施形態では、第１実施形態のように制御信号を受信した基地局の同期状態をエア同期状態か、エア同期状態でない同期状態を判断した後、更にエア同期状態の基地局のエア同期の次数を判断する。そこで第３実施形態では、基地局１０４ａ〜１０４ｇは、自局がエア同期状態であった場合、自局がエア同期状態であるという同期情報（同期ビット）に加えて、エア同期における自局の次数に関する情報（次数情報）を制御信号に格納する。具体例としては、自局の次数をＣＳＩＤの一部（下位ビット）として含ませることができる。
【００４０】
例えば、図１に示すエア同期状態の基地局１０４ｅ〜１０４ｇのうち、基地局１０４ｅは、ＧＰＳ同期状態の基地局１０４ｂにエア同期している基地局であり、基地局１０４ｇは、ＧＰＳ同期状態の基地局１０４ｃにエア同期している基地局である。このように、ＧＰＳ同期状態の基地局に直接エア同期している基地局１０４ｅ・１０４ｇのエア同期の次数は、１となる。一方、基地局１０４ｆは、エア同期状態の基地局１０４ｇに同期することで、かかる基地局を介して間接的に１０４ｃにエア同期している。したがって、基地局１０４ｆのエア同期の次数は２となる。
【００４１】
図６は、無線通信システム１００における無線端末１０２の第３実施形態の動作を説明するフローチャートである。図６に示すように、無線端末１０２では、エア同期でない同期状態の基地局がなかった場合（ステップＳ３０８のＮＯ）、すなわちエア同期状態の基地局からの制御信号しか受信できなかった場合、かかる制御信号を参照し、エア同期状態の基地局の中から、エア同期の次数が上位の基地局を抽出する（ステップＳ３３２）。そして、接続判断部１２４は、次数が上位の基地局を接続先候補とし、その接続先候補の基地局のうち、最もＲＳＳＩが高い基地局（最大ＲＳＳＩの基地局）を接続先として選択する（ステップＳ３１４）。
【００４２】
上記説明したように、第３実施形態では、エア同期状態の基地局のエア同期の次数を参照し、かかる次数が上位の基地局を接続先候補とする。すなわち、第３実施形態では、エア同期状態の基地局のみが接続先候補となった場合、同期状態による基地局１０４ａ〜１０４ｇの接続優先度は、エア同期の次数が上位の基地局ほど高く設定される。
【００４３】
エア同期状態の基地局同士が複数段に接続されるようなマルチエア接続の基地局構成では、エア同期の次数が下位の基地局（エア接続の段数が多い基地局）は同期性能が低下しがちになるため、その基地局に接続した無線端末は良好な通信品質が得られないおそれがある。これに対し、第３実施形態のように、エア同期の次数が上位の基地局を優先的に接続先候補とすることで、基地局１０４ａ〜１０４ｇと無線端末１０２との無線通信において高い通信品質が得られ、多値変調での通信を良好に行うことが可能となる。
【００４４】
（第４実施形態）
図７は、無線通信システム１００における無線端末１０２の第４実施形態の動作を説明するフローチャートである。第１実施形態では、エア同期状態を参照して接続先候補を選択し、接続先候補の中からＲＳＳＩが最も高い基地局を接続先としていたのに対し、第４実施形態では、基地局１０４ａ〜１０４ｇの同期状態およびＲＳＳＩによって通信品質値を算出することを特徴とする。
【００４５】
図７に示すように、第４実施形態では、制御信号を参照することによって判断した基地局の同期状態を記憶部１２８に記憶した後（ステップＳ３０６）、接続判断部１２４は、基地局の同期状態および制御信号の受信信号強度を用いて通信品質値を算出する（ステップＳ３４２）。具体的には、同期状態による接続優先度として、同期状態ごとに係数（以下、同期状態係数と称する）を定めるとよい。例えば、同期性能の高い順に、ＧＰＳ同期および回線同期の同期状態係数を１．０とし、ＨＯ同期の同期状態係数を０．８とし、エア同期の同期状態係数を０．６と設定することができる。
【００４６】
そして、接続判断部１２４は、例えば次式で示すように、同期状態係数にＲＳＳＩを乗算することにより通信品質値を算出する。
通信品質値＝同期状態係数×ＲＳＳＩ値
通信品質値を算出したら、接続判断部１２４は、制御信号を受信した基地局のうち、通信品質値が最も高い基地局（最大の基地局）を接続先として選択し、端末制御部１２２は、その基地局に当該無線端末１０２を接続する（ステップＳ３４４）。この第４実施形態の構成によっても、同期状態とＲＳＳＩの両方を踏まえて接続先の基地局を選択することができる。したがって、上述した第１実施形態と同様の効果を得ることが可能である。
【００４７】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４８】
本発明は、制御信号を送信する基地局と、基地局との無線通信によって制御信号を受信する無線端末とを含む無線通信システムとして利用可能である。
【符号の説明】
【００４９】
１００…無線通信システム、１０２…無線端末、１０４ａ〜１０４ｇ…基地局、１１２…基地局制御部、１１４…同期識別部、１１６…基地局無線通信部、１１６ａ…通信アンテナ、１２２…端末制御部、１２４…接続判断部、１２６…端末無線通信部、１２６ａ…通信アンテナ、１２８…記憶部
【図１】
2015053650.tif 000003
【図２】
2015053650.tif 000004
【図３】
2015053650.tif 000005
【図４】
2015053650.tif 000006
【図５】
2015053650.tif 000007
【図６】
2015053650.tif 000008
【図７】
2015053650.tif 000009